(57)【要約】【課題】３つ以上の無線通信システム間でのハンドオーバを可能としながら、簡易なハードウェアにより実現する。【解決手段】第１のプロセッサが第１のメモリ２から無線システム毎のプログラムを第１および第２のメモリ６，１１に適宜にロードすることで、第２および第３のプロセッサ５，１０が各無線システムのそれぞれに対応可能とする。そして、使用する１つの無線システムを用いる通信制御を第２および第３のプロセッサ５，１０の一方で行いつつ、使用しない無線システムの通信状況のモニタを第２および第３のプロセッサ５，１０の他方で行う。ハンドオーバのためなどに使用する無線システムが変更されたならば、その新たに使用する無線システムを用いる通信制御を、通信状況のモニタを行っていたプロセッサにより開始する。【選択図】    図１
2005039361.tif 000002
【特許請求の範囲】
【請求項１】
３つ以上の無線通信システムを使用可能な無線通信装置において、
前記３つ以上の無線通信システムのそれぞれに対応する通信制御用プログラムおよび通信状況モニタ用プログラムを記憶するための第１の記憶手段と、
前記通信制御用プログラムのうちの１つまたは通信状況モニタ用プログラムのうちの１つを記憶するための第２の記憶手段と、
前記第２の記憶手段に記憶されたプログラムを実行する第１の実行手段と、
前記通信制御用プログラムのうちの１つまたは通信状況モニタ用プログラムのうちの１つを記憶するための第３の記憶手段と、
前記第３の記憶手段に記憶されたプログラムを実行する第２の実行手段と、
前記第２および第３の記憶手段の一方をメイン記憶手段に、他方をサブ記憶手段に設定する手段と、
前記３つ以上の無線通信システムのうちで使用する１つの無線通信システムに対応する通信制御用プログラムを前記第１の記憶手段から前記メイン記憶手段にロードする第１のロード手段と、
前記１つの無線通信システム以外の無線通信システムに対応する通信状況モニタ用プログラムの１つを前記第１の記憶手段から前記サブ記憶手段にロードする第２のロード手段とを具備したことを特徴とする無線通信装置。
【請求項２】
前記第１のロード手段は、前記使用する１つの無線通信システムに対応する通信制御用プログラムおよび通信状況モニタ用プログラムを前記第１の記憶手段から前記メイン記憶手段にロードすることを特徴とする請求項１に記載の無線通信装置。
【請求項３】
前記第２のロード手段は、前記メイン記憶手段にロードされた通信制御用プログラムを実行することにより通信チャネルが確立された後に前記通信状況モニタ用プログラムを前記サブ記憶手段へロードすることを特徴とする請求項１に記載の無線通信装置。
【請求項４】
前記第２のロード手段は、前記１つの無線通信システム以外の無線通信システムに対応する複数の通信状況モニタ用プログラムを周期的に順次前記サブ記憶手段へロードすることを特徴とする請求項１に記載の無線通信装置。
【請求項５】
前記第２のロード手段は、前記１つの無線通信システムに対応する通信状況モニタ用プログラムとともに、該通信状況モニタ用プログラムと同じ無線通信システムに対応する前記通信制御用プログラムを、前記第３の記憶手段から前記サブ記憶手段へロードし、
前記サブ記憶手段に記憶されたプログラムを実行する実行手段を前記通信状況モニタ用のプログラムを実行するよう制御する制御手段をさらに備えたことを特徴とする請求項１に記載の無線通信装置。
【請求項６】
前記第１のロード手段は、前記１つの無線通信システムが変更された時に、該新たに使用する１つの無線通信システムに対応する前記通信制御用プログラムが新たに前記メイン記憶手段に設定される記憶手段に記憶されているならば、前記通信制御用プログラムのロードを行わないことを特徴とする請求項５に記載の無線通信装置。
【請求項７】
前記第２のロード手段は、前記１つの無線通信システム以外の無線通信システムに対応する複数の通信状況モニタ用プログラムおよび複数の通信制御用プログラムを周期的にロードすることを特徴とする請求項５に記載の無線通信装置。
【請求項８】
無線信号の送受信を行う第１および第２の送受信回路と、
前記第１および第２の送受信回路での送受信に伴うベースバンド信号処理を行う第１および第２の信号処理手段とをさらに具備し、
前記第１および第２の実行手段は、前記通信制御用プログラムを実行することで、該通信制御用プログラムが対応する無線通信システムを用いる通信を行うために前記第１の送受信回路および第１の信号処理手段、または前記第２の送受信回路および前記第２の信号処理手段を制御し、
前記第１および第２の実行手段は、前記通信状況モニタ用プログラムを実行することで、該通信状況モニタ用プログラムが対応する無線通信システムでの通信状況をモニタするために前記第１の送受信回路および第１の信号処理手段、または前記第２の送受信回路および前記第２の信号処理手段を制御することを特徴とする請求項１に記載の無線通信装置。
【発明の詳細な説明】
【０００１】
【発明の属する技術分野】
３つ以上の無線通信システムを選択的に使用する無線通信装置に関する。
【０００２】
【従来の技術】
近年、一人のユーザが複数の無線通信システムを利用するようになってきている。このような背景から、一台で複数の通信システムが利用できる端末が要求されるようになってきた。また、第２世代携帯電話から第３世代へ、さらには携帯電話から無線ＬＡＮ（Ｌｏｃａｌ  Ａｒｅａ  Ｎｅｔｗｏｒｋ）といった、異なるシステム間のハンドオーバの検討も始まっている。
【０００３】
システム間のハンドオーバが考慮されているシステムとして、欧州を中心として世界で利用されている第２世代移動通信システムＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）と、第３世代システムＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）がある。このＧＳＭとＷ−ＣＤＭＡとが利用できるデュアルモード端末には、ＧＳＭとＷ−ＣＤＭＡに対応したハードウェアおよびソフトウェアが各々独立に組み込まれている。すなわち、ＧＳＭが利用するハードウェアおよびソフトウェアはＧＳＭのみが想定されており、その他のシステムが利用できるように切り替えることができるものではない。Ｗ−ＣＤＭＡ方式も同様である。つまり、マルチモード無線端末は、システムごとに最適なハードウェアをつなぎ合わせて実現されている（例えば、特許文献１を参照）。
【０００４】
また、ソフトウェアでシステムを切り替える端末を用いたシステム間ハンドオーバに関していくつかの方法が知られている（例えば特許文献３を参照）。特許文献２では、通信方式切り替え交換局の構造と、受信品質に基づいたシステム間ハンドオーバを行う際の切り替え方法が開示されている。
【０００５】
【特許文献１】
特開平８−２３７７４８号公報（４−５項、第２図）
【０００６】
【特許文献２】
特開２００２−７７９６５公報（第５図）。
【０００７】
【発明が解決しようとする課題】
従来では、各システムに最適なハードウェアを２つ組み合わせて無線通信システム間ハンドオーバを実現しているが、これではあらかじめ決められた２つの無線通信システム間のハンドオーバしか実現できない。３つ以上の無線通信システムにわたるハンドオーバを実現するためには、対応する無線通信システムの数に応じて最適なハードウェアを追加して行く必要があり、ハードウェア規模が大きくなってしまう。なお特許文献２には、無線通信装置のハードウェア規模を縮小することに関する開示はない。
【０００８】
本発明はこのような事情を考慮してなされたものであり、その目的とするところは、３つ以上の無線通信システム間でのハンドオーバを可能としながら、簡易なハードウェアにより実現できる無線通信装置を提供することにある。
【０００９】
【課題を解決するための手段】
以上の目的を達成するために本発明は、３つ以上の無線通信システムを使用可能な無線通信装置において、前記３つ以上の無線通信システムのそれぞれに対応する通信制御用プログラムおよび通信状況モニタ用プログラムを記憶するための第１の記憶手段と、前記通信制御用プログラムのうちの１つまたは通信状況モニタ用プログラムのうちの１つを記憶するための第２の記憶手段と、前記第２の記憶手段に記憶されたプログラムを実行する第１の実行手段と、前記通信制御用プログラムのうちの１つまたは通信状況モニタ用プログラムのうちの１つを記憶するための第３の記憶手段と、前記第３の記憶手段に記憶されたプログラムを実行する第２の実行手段と、前記第２および第３の記憶手段の一方をメイン記憶手段に、他方をサブ記憶手段に設定する手段と、前記３つ以上の無線通信システムのうちで使用する１つの無線通信システムに対応する通信制御用プログラムを前記第１の記憶手段から前記メイン記憶手段にロードする第１のロード手段と、前記１つの無線通信システム以外の無線通信システムに対応する通信状況モニタ用プログラムの１つを前記第１の記憶手段から前記サブ記憶手段にロードする第２のロード手段とを備えた。
【００１０】
このような手段を講じたことにより、使用する１つの無線通信システムを用いる通信制御を第１および第２の実行手段の一方で行いつつ、１つの無線通信システム以外の無線通信システムの通信状況のモニタを第１および第２の実行手段の他方で行える。そして、ハンドオーバのためなどに使用する無線通信システムが変更されたならば、その新たに使用する無線通信システムを用いる通信制御が、通信状況のモニタを行っていた実行手段により開始される。そして第１および第２の実行手段は、第１および第２の記憶手段が記憶するプログラムを第１および第２のロード手段により適宜ロードすることで、３つ以上の無線通信システムのそれぞれに対応する。従って、３つ以上の無線通信システム間のハンドオーバが実現される。
【００１１】
【発明の実施の形態】
以下、図面を参照して本発明の実施形態につき説明する。
【００１２】
（第１の実施形態）
図１は第１の実施形態に係る無線通信装置の構成を示すブロック図である。
図１に示す無線通信装置は、第１のプロセッサ１、第１のメモリ２、周辺回路３、第１のバス４、第２のプロセッサ５、第２のメモリ６、第１の無線部７、第１のランダムロジック回路（第１のロジック回路）８、第２のバス９、第３のプロセッサ１０、第３のメモリ１１、第２の無線部１２、第２のランダムロジック回路（第２のロジック回路）１３、第３のバス１４、第１のインタフェース（ＩＦ）１５および第２のインタフェース（ＩＦ）１６を含む。
【００１３】
第１のプロセッサ１は、第１のメモリ２に記憶されたプログラムに基づい動作する。第１のプロセッサ１は、周辺回路３、第２のプロセッサ５および第３のプロセッサなどの各部を総括して制御し、これにより４つの無線システムを適宜に利用して通信を行うための処理や、アプリケーション動作を実行するための処理を実行する。第１のメモリ２は、第１のプロセッサ１のための動作プログラムを記憶する。第１のメモリ２は、第２のプロセッサ５や第３のプロセッサ１０が４つの無線システムのそれぞれを用いて通信を行うためのプログラムをそれぞれ記憶する。このプログラムは、各無線システムを用いた通信を実現するための通信制御プログラムと、各無線システムでの通信状況をモニタするためのモニタプログラムとを含んでいる。周辺回路３は、キー入力デバイスや表示デバイスなどと、その制御回路を含んだ回路である。これらの第１のプロセッサ１、第１のメモリ２および周辺回路３は、第１のバス４を通じて接続されている。
【００１４】
第２のプロセッサ５は、第２のメモリ６に記憶されたプログラムに基づいて、第１の無線部７および第１のランダムロジック回路８を制御する。第２のメモリ６は、第２のプロセッサ５のための動作プログラムを記憶する。第１の無線部７は、無線信号の送受信を行う。第１のランダムロジック回路８は、送受信ベースバンド信号のディジタル信号処理を行う。第１の無線部７および第１のランダムロジック回路８は、第２のプロセッサ５の制御の下に、４つの無線システムのいずれかに対応するものとして動作する。これらの第２のプロセッサ５、第２のメモリ６、第１の無線部７および第１のランダムロジック回路８は、第２のバス９を通じて接続されている。
【００１５】
第３のプロセッサ１０は、第３のメモリ１１に記憶されたプログラムに基づいて、第２の無線部１２および第２のランダムロジック回路１３を制御する。第３のメモリ１１は、第３のプロセッサ１０のための動作プログラムを記憶する。第２の無線部１２は、無線信号の送受信を行う。第２のランダムロジック回路１３は、送受信ベースバンド信号のディジタル信号処理を行う。第２の無線部１２および第２のランダムロジック回路１３は、第３のプロセッサ１０の制御の下に、４つの無線システムのいずれかに対応するものとして、第１の無線部７および第１のランダムロジック回路８とは独立して動作する。これらの第３のプロセッサ１０、第３のメモリ１１、第２の無線部１２および第２のランダムロジック回路１３は、第３のバス１４を通じて接続されている。
【００１６】
インタフェース１５は、第１のバス４と第２のバス９とを接続する。インタフェース１６は、第２のバス９と第３のバス１４とを接続する。
【００１７】
次に以上のように構成された第１の実施形態の無線通信装置の動作につき説明する。
図２は第１のプロセッサ１のフローチャートである。
ユーザにより使用する無線システムが指定された場合などのように４つの無線システムのうちから使用する１つが選択された場合に、第１のプロセッサ１が図２に示す処理を開始する。
【００１８】
ステップＳＴ１にて第１のプロセッサ１は、第２のメモリ６および第３のメモリ１１の一方をメインメモリに、他方をサブメモリに設定する。
【００１９】
ステップＳＴ２にて第１のプロセッサ１は、使用するべく選択された無線システム（以下、選択システムと称する）に対応するプログラムを第１のメモリ２から読み出し、このプログラムをメインメモリにロードする。なお第１のプロセッサ１は、プログラムを第２のメモリ６または第３のメモリ１１にロードする際には、第１のメモリ２に記憶されていたプログラムをコンパイルして第２のメモリ６または第３のメモリ１１が実行可能な形式に変換する。
【００２０】
ステップＳＴ３にて第１のプロセッサ１０は、メインメモリにロードしたプログラムの実行を、このメインメモリに対応したプロセッサ（以下、メインプロセッサと称する）に指示する。
【００２１】
具体的には、例えば、第２のメモリ６をメインメモリに設定し、第３のメモリ１１をサブメモリに設定する。そして無線システムＡを選択システムとするならば、この無線システムＡのプログラムが第２のメモリ６にロードされる。さらに、第２のメモリ６に記憶されたプログラムを第２のプロセッサ５が実行する。かくしてこの具体例の場合には、第１の無線部７および第１のランダムロジック回路８により無線システムＡを用いた通信が行える状態となる。
【００２２】
ステップＳＴ４にて第１のプロセッサ１は、使用するべく選択されていない３つの無線システム（以下、未選択システムと称する）のプログラムのうちの１つをサブメモリにロードする。
【００２３】
ステップＳＴ５にて第１のプロセッサ１は、サブメモリにロードしたプログラムに含まれるモニタプログラムの実行を、このサブメモリに対応したプロセッサ（以下、サブプロセッサと称する）に指示する。
【００２４】
上記の具体例の場合には、未選択システムである無線システムＢ，Ｃ，Ｄのうちの１つ、例えば無線システムＢのプログラムが第３のメモリ１１にロードされる。そして第３のプロセッサ１０が無線システムＢの通信状況モニタプログラムを実行することで、第２の無線部１２および第２のランダムロジック回路１３により無線システムＢに関する通信状態をモニタする状態となる。なお、通信状況のモニタは、例えば受信信号強度（ＲＳＳＩ）の測定により行われる。
【００２５】
ステップＳＴ６およびステップＳＴ７にて第１のプロセッサ１は、システム間ハンドオーバの必要が生じるか、あるいはステップＳＴ４を行ってから一定時間が経過するのを待ち受ける。そしてこの待ち受け状態にて上記一定時間が経過したならば、第１のプロセッサ１は処理をステップＳＴ４に戻す。かくして第１のプロセッサ１は、一定時間の周期で未選択システムのプログラムのうちの１つをサブメモリにロードする。なおステップＳＴ４にて第１のプロセッサ１は、ロードするプログラムを順次変更する。
【００２６】
上記の具体例の場合には、無線システムＢ，Ｃ，Ｄのそれぞれのプログラムが、第３のメモリ１１に順次ロードされる。そして、第２の無線部１２および第２のランダムロジック回路１３は、無線システムＢ，Ｃ，Ｄに関する通信状態をモニタする状態に順次切り換えられる。
【００２７】
かくして、第１のプロセッサ１がステップＳＴ４乃至ステップＳＴ７の処理を繰り返しているときには、第２のプロセッサ５および第３のプロセッサ１０の役割は図３に示すようになる。
【００２８】
なお、メインプロセッサでは、通信制御プログラムおよび通信状況モニタプログラムの双方を実行する。従って、メインプロセッサにより制御される無線部およびランダムロジック回路においても、選択システムに関する通信状況のモニタは行われている。このようにして、第１の無線部７および第１のランダムロジック回路８と、第２の無線部１２および第２のランダムロジック回路１３とにより測定される各無線システムの通信状況は、例えば図４に示すような状態にて第１のメモリ２に記憶される。この第１のメモリ２に記憶されたモニタ結果は、システム間ハンドオーバを行うか否かを判断する情報として利用される。
【００２９】
さて、システムハンドオーバの必要が生じたならば、第１のプロセッサ１は処理をステップＳＴ６からステップＳＴ８に移行する。ステップＳＴ８にて第１のプロセッサ１は、メインメモリを変更する。すなわち、それ以前に第２のメモリ６をメインメモリに設定していたならば第３のメモリ１１を新たにメインメモリに設定し、逆に第３のメモリ１１をメインメモリに設定していたならば第２のメモリ６を新たにメインメモリに設定する。
【００３０】
ハンドオーバ先となる無線システムは、それまでの未選択システムのうちのいずれかであり、かつステップＳＴ４乃至ステップＳＴ７が繰り返されるときには、未選択システムのプログラムがサブメモリに順次ロードされているから、新たにメインメモリに設定されたメモリにはハンドオーバ先の無線システムのプログラムが既に記憶されている場合がある。そこでステップＳＴ９にて第１のプロセッサ１は、ハンドオーバ先の無線システムのプログラムが新たなメインメモリにロードされているか否かを確認する。
【００３１】
ステップＳＴ９がＮＯである場合に第１のプロセッサ１は、処理をステップＳＴ１０に移行する。ステップＳＴ１０にて第１のプロセッサ１は、ハンドオーバ先の無線システムのプログラムを第１のメモリ２からメインメモリへとロードする。しかし、ステップＳＴ９がＹＥＳである場合には、このようなプログラムのロードは必要ないから、第１のプロセッサ１はステップＳＴ９をパスする。
【００３２】
ステップＳＴ１１にて第１のプロセッサ１は、メインメモリにロードしたプログラムの実行をメインプロセッサに指示する。かくして、ハンドオーバ先の無線システムを選択システムとして通信する状態が設定されることになる。
【００３３】
ステップＳＴ１２にて第１のプロセッサ１は、ハンドオーバ先の無線システムにてチャネルを確立できたか否かを確認する。チャネルを確立できたならば、ハンドオーバが完了したので、第１のプロセッサ１は処理をステップＳＴ４に戻す。こののちにステップＳＴ４乃至ステップＳＴ７が上述したのと同様に行われることにより、第２のプロセッサ５および第３のプロセッサ１０の役割は図５に示すようになる。すなわち、ハンドオーバを実施したことにより、第２のプロセッサ５および第３のプロセッサ１０の役割が、図３に示す状態から図５に示す状態に遷移する。
【００３４】
ハンドオーバ先の無線システムにてチャネルを確立できなかった場合には、ハンドオーバを行うことができない。この場合には、選択システムはハンドオーバが必要となる以前に使用していた無線システムとされる。そこで第１のプロセッサ１は、処理をステップＳＴ１２からステップＳＴ１３に移行する。ステップＳＴ１３にて第１のプロセッサ１は、メインメモリを変更する。すなわち、メインメモリをハンドオーバが必要となる以前に戻す。これにより新たにメインメモリとなるメモリには、ハンドオーバを試みる以前の選択システムのプログラムが記憶されたままである。従って、無線通信装置はハンドオーバが必要となる以前の状態に戻る。こののちに第１のプロセッサ１は、処理をステップＳＴ４に戻す。
【００３５】
以上のように第１の実施形態の無線通信装置によれば、第２のプロセッサ５、第２のメモリ６、第１の無線部７および第１のランダムロジック回路８により構成される第１の系と、第３のプロセッサ１０、第３のメモリ１１、第２の無線部１２および第２のランダムロジック回路１３により構成される第２の系との２系統の通信部を有しているのみながら、４つの無線システムを適宜に使用して通信を行うことが可能である。しかも、それら４つの無線システム間のハンドオーバを、通信を途切れさせることなく行うことが可能である。
【００３６】
（第２の実施形態）
第２の実施形態に係る無線通信装置の構成は、第１の実施形態の無線通信装置と同様に図１に示すようなものである。そして第２の実施形態の無線通信装置が第１の実施形態の無線通信装置と異なるのは、第１のプロセッサ１の処理内容である。
【００３７】
図６は第２の実施形態における第１のプロセッサ１のフローチャートである。なお、図２と同一の処理には同一の符号を付し、その詳細な説明は省略する。
【００３８】
図６に示すように第２の実施形態では、第１のプロセッサ１は、第１の実施形態におけるステップＳＴ４に代えてステップＳＴ２１の処理を行うとともに、ステップＳＴ２２の処理を追加して行う。
【００３９】
ステップＳＴ２１にて第１のプロセッサ１は、未選択システムのモニタプログラムのうちの１つをサブメモリにロードする。すなわち、第１の実施形態におけるステップＳＴ４では、未選択システムの１つに関したプログラムの全てをサブメモリへロードしていたのに対して、第２の実施形態ではモニタプログラムのみをサブメモリへロードする。
【００４０】
このように、未選択システムに関しては、通信制御プログラムはサブメモリにロードされない。そこでステップＳＴ９がＹＥＳである場合に第１のプロセッサ１は、ステップＳＴ１１の前にステップＳＴ２３に処理を移行する。ステップＳＴ２３にて第１のプロセッサ１は、ハンドオーバ先の無線システムのプログラムのうちの通信制御プログラムのみを第１のメモリ２からメインメモリへと追加ロードする。
【００４１】
このように第２の実施形態の無線通信装置では、ステップＳＴ２１およびステップＳＴ５乃至ステップＳＴ７のループを実行しているときには、モニタプログラムのみをサブメモリにロードするので、このときにおける第１のプロセッサ１の負荷を第１の実施形態よりも低減することが可能である。
【００４２】
以上の各実施形態は、次のような種々の変形実施が可能である。
前記各実施形態では、第１のプロセッサ１、第２のプロセッサ５および第３のプロセッサ１０のいずれに関しても、そのプロセッサが行うべき処理を複数のプロセッサに分散して処理させることも可能である。
【００４３】
前記各実施形態では、第１のメモリ２に記憶されている各無線システム用のプログラムは、外部メモリーカードから取得したり、あるいは無線通信によりダウンロードしたりすることも可能である。
【００４４】
前記各実施形態では、通信状況をモニタする対象とする無線システムを、未選択システムのうちの一部のみに制限することも可能である。すなわち、ユーザニーズに応じて、あるいは通信事業者との契約の事情に応じて、全ての無線システムに対応しない動作を行うことも可能である。具体的には、無線システムＡおよび無線システムＢのみを利用できる状況ならば、通信状況をモニタする対象は選択システムではない１つの無線システムのみとする。このようにすることで、無駄なモニタ動作を省略して、デュアルモードの無線通信装置として効率的に動作することができるようになる。これは、ユーザが一部の無線システムの利用に関する通信事業者との契約を見送って、一部の無線システムのみを利用賞としているような場合に便利となる。
【００４５】
前記各実施形態では、選択システムの通信状況のモニタをサブプロセッサにて行うことも可能である。
【００４６】
前記各実施形態では、利用可能とする無線システムは、３つ以上であれば任意の数であって良い。
【００４７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【００４８】
【発明の効果】
本発明によれば、３つ以上の無線通信システム間でのハンドオーバを可能としながら、簡易なハードウェアにより実現できる。
【図面の簡単な説明】
【図１】第１の実施形態に係る無線通信装置の構成を示すブロック図。
【図２】第１の実施形態における第１のプロセッサ１のフローチャート。
【図３】第２のプロセッサ５および第３のプロセッサ１０の役割を示す図。
【図４】第１のメモリ２に記憶されたモニタ結果を示す図。
【図５】第２のプロセッサ５および第３のプロセッサ１０の役割を示す図。
【図６】第２の実施形態における第１のプロセッサ１のフローチャート。
【符号の説明】
１…第１のプロセッサ、２…第１のメモリ、３…周辺回路、４…第１のバス、５…第２のプロセッサ、６…第２のメモリ、７…第１の無線部、８…第１のランダムロジック回路、９…第２のバス、１０…第３のプロセッサ、１１…第３のメモリ、１２…第２の無線部、１３…第２のランダムロジック回路、１４…第３のバス、１５…第１のインタフェース、１６…第２のインタフェース。
【図１】
2005039361.tif 000003
【図２】
2005039361.tif 000004
【図３】
2005039361.tif 000005
【図４】
2005039361.tif 000006
【図５】
2005039361.tif 000007
【図６】
2005039361.tif 000008